(57)【要約】【課題】保守時に照明器具を持参する必要がなく、また制御装置内の配線を容易に確認できるようにする。【解決手段】マンコンベアの主枠内に設置された外箱１１内に、マンコンベアを駆動制御する、リレー類１２、基板１３、電源装置１４などの制御回路を収納するとともに、この外箱１１内に、冷陰極管支え１７ａにより支持される冷陰極管１７を設け、この冷陰極管１７を光源とする照明器具を設けて、保守時に冷陰極管１７を点灯して外箱１１内を照らすようにする。冷陰極管１７は、マンコンベアを駆動制御する制御回路の電源を利用して動作させることにより、保守時に照明器具を持参することなく制御装置内を照らし出して配線状況などの点検を行なうことができる。【選択図】  図３
2004189479.tif 000002
【特許請求の範囲】
【請求項１】
マンコンベアの主枠内に設置された外箱と、この外箱内に収納され、前記マンコンベアを駆動制御する制御回路と、前記外箱内に設けられ、冷陰極管を光源として前記外箱内を照らす照明器具とからなるマンコンベアの制御装置。
【請求項２】
前記照明器具は、前記冷陰極管を点灯するための高電圧を発生する駆動回路を備えていることを特徴とする請求項１に記載のマンコンベアの制御装置。
【請求項３】
前記照明器具の電源をマンコンベアの制御回路用電源を使用することを特徴とする請求項２に記載のマンコンベアの制御装置。
【請求項４】
前記マンコンベアの制御回路と前記照明器具の駆動回路を切り換える切換器を有することを特徴とする請求項３に記載のマンコンベアの制御装置。
【請求項５】
前記外箱の内面に、光を反射させ易い手段を設けたことを特徴とする請求項１ないし４のいずれかに記載のマンコンベアの制御装置。
【請求項６】
マンコンベアの主枠内に設置された外箱と、この外箱内に収納され、前記マンコンベアを駆動制御する制御回路と、前記外箱内に設けられ、ＬＥＤまたは有機ＥＬを光源として前記外箱内を照らす照明器具とからなるマンコンベアの制御装置。
【発明の詳細な説明】
【０００１】
【発明の属する技術分野】
本発明は、エスカレータまたは動く歩道などのマンコンベアの制御装置に関する。
【０００２】
【従来の技術】
マンコンベアであるエスカレータは、無端状に連結された多数の踏段が、上下の階床間に傾斜して設けられたガイドレールに案内されて循環走行するもので、踏段に乗った利用客を移動させるようになっている。
【０００３】
踏段を案内するガイドレールは、主枠に設けられており、この主枠には踏段の幅方向両側に一対の欄干が立設され、この一対の欄干にそれぞれ踏段と同一速度で同一方向に移動する手すりベルトが設けられている。これら踏段や手すりベルトは、主枠内に配置された駆動装置により駆動され、駆動装置は制御装置により制御されるようになっている。
【０００４】
【発明が解決しようとする課題】
ところで、従来、エスカレータの制御装置は、エスカレータの主枠の上階機械室内に設置されている構成が一般的である。機械室内は、狭く、また照明が設けられていないため、保守時に制御装置内を点検し、配線状況を確認するには、懐中電灯等を持参して特定個所を照らし出すことが必要となる。
【０００５】
またエスカレータの保守時には、制御回路を構成する端子台やリレー類および基板などに電流が流れないようにエスカレータの制御回路の電源を切るので、エスカレータの制御回路用電源を利用して照明器具を動作させ得るようには構成されていなかった。
【０００６】
さらに制御装置内に照明装置を設置するにしても、制御装置内のスペースに制約があり、蛍光灯を設置するには、設置するスペースを確保できるように制御装置を大きくしなければならず、他の設置機器のレイアウトへの影響が余儀なくされたり、場合によっては主枠自体を大きくしなければならなくなるという問題が生じる。しかも蛍光灯は寿命が短く、その交換作業も必要になってくる。
【０００７】
本発明は、上述の問題点を解決するためになされたもので、保守時に照明器具を持参する必要がなく、容易に制御装置内を照らし出して配線状況を確認できるマンコンベアの制御装置を提供することを目的とする。
【０００８】
【課題を解決するための手段】
本発明は上記の課題を解決するために、マンコンベアの主枠内に設置された外箱内にマンコンベアを駆動制御する制御回路を収納するとともに、この外箱内に、冷陰極管を光源として外箱内を照らす照明器具を設けたことを特徴とする。
【０００９】
このように冷陰極管の、例えば管径が４ｍｍ前後と細く、寿命も長いという特性を利用して、この冷陰極管を光源とする照明器具を制御装置内に設置することにより、制御装置内に設置しやすく、またマンコンベアを駆動制御する制御回路の電源を利用して動作させることも容易となり、保守時に照明器具を持参することなく制御装置内を照らし出して容易に点検を行なうことができる。
【００１０】
この場合、照明器具は、冷陰極管を点灯するための高電圧を発生する駆動回路を備えていることによって、設置を容易に行なうことができる。
【００１１】
また駆動回路の電源を、マンコンベアの制御回路用電源を使用することによって、別途電源を用意する必要もない。
【００１２】
この場合、マンコンベアの制御回路と冷陰極管の駆動回路を切り換える切換器を設けることによって、保守時に制御回路の切断と同時に冷陰極管を点灯することができる。
【００１３】
また外箱の内面に、光を反射させ易い手段を設けることによって、制御装置内の隅々まで明るく照らし出すことができる。
【００１４】
【発明の実施の形態】
以下、本発明の実施の形態を説明する。図１はマンコンベアの一例としてのエスカレータを示す概略構成図であり、図２は図１における上階機械室の拡大平面図である。
【００１５】
図１および図２において、上階１ａと下階１ｂに跨って支持金具２ａ，２ｂを介してエスカレータの主枠２が設けられる。この主枠２の長手方向一端部の上階機械室内に駆動装置３が設けられている。この駆動装置３には、伝達継手４、減速機構５を介して動力駆動チェーン６が連結され、この駆動チェーン６により図示しない駆動スプロケットが駆動される。主枠２の長手方向他端部の下階機械室内には、図示しない従動スプロケットが設けられ、この駆動スプロケットと従動スプロケットとに無端状の踏段チェーンが巻き掛けられており、この踏段チェーンに多数の踏段７が等ピッチで連結されている。
【００１６】
踏段７はその前後に前輪および後輪が取付けられており、これら前輪および後輪を介して主枠２内に設けられた往路ガイドレール、帰路ガイドレールおよび反転ガイドレールからなるガイドレールに案内されることにより、多数の踏段７は踏段チェーンの移動に連動して循環走行するようになっている。
【００１７】
踏段７が反転する位置の近傍は、利用客の乗降口となり、乗降口の主枠２上には乗降板８ａ，８ｂが設けられている。
【００１８】
主枠２の幅方向両側には欄干９が立設され、この欄干９の上部には多数の踏段７と同期して走行する図示しない手すりベルトが設けられている。これら手すりベルトおよび踏段７は、上階機械室に設置された制御装置１０により駆動制御される。
【００１９】
図３（ａ）および（ｂ）は、エスカレータの制御装置１０の内部を示す正面図および側面図である。制御装置１０は、堅牢な外箱１１の内部に、エスカレータを駆動制御するリレー類１２、基板支え１３ａに支持された基板１３、これらリレー類１２および基板１３を動作させるための電源装置１４、トランス１５、およびそれらを電線で接続するための端子台１６などにより制御回路が構成されて収納されている。
【００２０】
そしてこの制御装置１０の外箱１１の天井内側には、スプリングバックを有する冷陰極管支え１７ａを介して冷陰極管１７が設けられている。この冷陰極管１７は、外箱１１内の照明器具を構成し、管径が４ｍｍ前後と小径のため、リレー類１２および基板１３と外箱１１との間に設置することが可能である。冷陰極管１７は、ガラス管の内側に電極があるタイプあるいはガラス管の外側に電極があるタイプのいずれでも採用できる。
【００２１】
この冷陰極管１７を点灯するための電源は、エスカレータの制御回路用電源である電源装置１４にて創出された直流電源が、外箱１１内に設置された切換器２１により切り換えられて供給されるようになっている。
【００２２】
図４は、冷陰極管１７の駆動回路の一例を示す。駆動回路は、ＤＣ／ＤＣコンバータ１８、調光制御回路１９、インバータ２０などから構成され、冷陰極管１７に直流電圧を印加して外箱１１内に設置された冷陰極管１７を調光制御するようになっている。
【００２３】
ＤＣ／ＤＣコンバータ１８は、電源装置１４から供給される直流電圧を所定電圧に変換して動作電源を供給する。ＤＣ／ＤＣコンバータ１８には調光制御回路１９およびインバータ２０が接続されており、インバータ２０がＤＣ／ＤＣコンバータ１８から印加される直流電圧を所定周波数の交流電圧に変換する。調光制御回路１９にはインバータ２０を動作制御する調光制御信号を生成するためのものであり、この調光制御回路１９の調光制御信号によってインバータ２０の変換動作が所定周期で停止あるいは再開を繰り返す。またこの調光制御回路１９には調光信号が供給され、この調光信号に応じてインバータ２０の停止時間と動作時間の割合を変えることができる。インバータ２０は出力電圧を冷陰極管１７に印加し冷陰極管１７を点灯駆動する。したがってインバータ２０の動作時間と停止時間の時間比を調光制御信号によって変えることにより冷陰極管１７の輝度を任意に調整することができる。
【００２４】
冷陰極管１７の電源は、切換器２１によりエスカレータの制御回路に供給される電源を切り換えて使用する。これにより冷陰極管１７を光源とする照明器具を駆動するための電源を別に用意する必要はなく、しかもエスカレータの制御回路の切断と同時に冷陰極管１７による照明の点灯を行なうことができる。
【００２５】
また冷陰極管１７を設置する制御装置の外箱１１内に、冷陰極管１７を駆動する駆動回路を設置することにより、外箱１１内への照明器具の設置が容易となり、しかも冷陰極管点灯用の電源装置を別途設置する必要もなくなる。
【００２６】
このように冷陰極管１７の、例えば管径が４ｍｍ前後と細く、寿命も長いという特性を利用して、冷陰極管１７を光源とする照明器具を制御装置１０内に設置することにより、制御装置１０内に設置しやすく、またエスカレータを駆動制御する制御回路の電源を利用して動作させることも容易となり、保守時に照明器具を持参することなく、容易に制御装置１１内を照らして配線状況を確認することができる。
【００２７】
外箱１１の内面を、光を反射させ易い色、例えば白色のパネル２２を装飾したり、白色塗料を塗装したり、あるいは導光板を配置したりするなどの手段を施すことにより、冷陰極管１７を少数設置するだけで、外箱１１内の全体を隅々まで照らし出すことが可能となる。
【００２８】
なお、光源として冷陰極管を用いたが、ＬＥＤ（半導体発光素子）や有機ＥＬ（エレクトロルミネセンス）を用いても良く、発光色は白色に限らず設置場所、周囲環境、光量、時刻、季節等に応じて他の色を用いても良い。また、本発明の目的を達成するものであれば光源としての冷陰極管、ＬＥＤ、有機ＥＬ等を適当にまぜて配置しても良いことはもちろんである。
【００２９】
【発明の効果】
以上説明したように、本発明のマンコンベアの制御装置によれば、冷陰極管、ＬＥＤ、有機ＥＬなどを光源とする照明器具を制御装置の外箱内に設けるようにしたことにより、保守時に照明器具を持参する必要がなく、容易に制御装置内を照らし出して配線状況を確認することができる。
【図面の簡単な説明】
【図１】マンコンベアの一例としてのエスカレータを示す概略構成図である。
【図２】図１に示すエスカレータにおける上階機械室の拡大平面図である。
【図３】（ａ）および（ｂ）は、本発明によるマンコンベアの制御装置の内部を示す正面図および側面図である。
【図４】本発明に使用される冷陰極管の駆動回路の一例を示すブロック図である。
【符号の説明】
１ａ…上階
１ｂ…下階
２…主枠
２ａ，２ｂ…支持金具
３…駆動装置
４…伝達継手
５…減速機構
６…動力駆動チェーン６
７…踏段
８ａ，８ｂ…乗降板
９…欄干
１０…制御装置
１１…外箱
１２…リレー類
１３…基板
１３ａ…基板支え
１４…電源装置
１５…トランス
１６…端子台
１７…冷陰極管
１７ａ…冷陰極管支え
１８…ＤＣ／ＤＣコンバータ
１９…調光制御回路
２０…インバータ
２１…切換器
２２…パネル
【図１】
2004189479.tif 000003
【図２】
2004189479.tif 000004
【図３】
2004189479.tif 000005
【図４】
2004189479.tif 000006